(57)【要約】【目的】従来から使用されていた通常厚さのケースを利用して、２枚以上のディスクを収納可能とした低コストのディスクケースを提供する。また、通常厚さのケースとともに使用して、既存の１枚収納用ケースを容易に２枚収納用ケースとして使用することのできるディスク保持用パッドを提供する。【解決手段】中央に保持孔が形成されたディスクを収納して保持するためのディスクケース１であって、前記ディスクの前記保持孔に嵌入され、前記ディスクを保持するための複数の保持片２４が円周上に配置された保持凸部２３と、前記保持凸部の先端部に固定され、前記ディスクが前記保持凸部から外れることを防止する保持パッド２６とを有する。前記保持パッドは、前記ディスクの前記保持孔の寸法よりも大きな寸法に形成された柔軟性部材からなるものである。【選択図】図１
2005289384.tif 000002
【特許請求の範囲】
【請求項１】
中央に保持孔（９１）が形成されたディスク（９）を収納して保持するためのディスクケースであって、
前記ディスク（９）の前記保持孔（９１）に嵌入され、前記ディスク（９）を保持するための複数の保持片（２４）が円周上に配置された保持凸部（２３）と、
前記保持凸部（２３）の先端部に固定され、前記ディスク（９）が前記保持凸部（２３）から外れることを防止する保持パッド（２６）とを有し、
前記保持パッド（２６）は、前記ディスク（９）の前記保持孔（９１）の寸法よりも大きな寸法に形成された柔軟性部材からなるものであるディスクケース。
【請求項２】
請求項１に記載したディスクケースであって、
前記保持パッド（２６）は、発泡体からなるものであるディスクケース。
【請求項３】
請求項１，２のいずれか１項に記載したディスクケースであって、
前記保持パッド（２６）は、前記保持孔の直径よりも０．１〜２ｍｍだけ大きな直径の円板形に形成されたものであるディスクケース。
【請求項４】
中央に保持孔（９１）が形成されたディスク（９）を収納して保持するためのディスクケースとともに使用して前記ディスク（９）を保持するディスク保持用パッドであって、
前記ディスクケースに設けられ、前記ディスク（９）の前記保持孔（９１）に嵌入されて前記ディスク（９）を保持するための保持凸部（２３）の先端部に固定するための粘着層（２６２）と、
前記ディスク（９）の前記保持孔（９１）の寸法よりも大きな寸法に形成され、柔軟性部材からなるパッド層（２６１）とを有するディスク保持用パッド。
【請求項５】
請求項４に記載したディスク保持用パッドであって、
前記パッド層（２６１）は、発泡体からなるものであるディスク保持用パッド。
【請求項６】
請求項４，５のいずれか１項に記載したディスク保持用パッドであって、
前記パッド層（２６１）は、前記保持孔（９１）の直径よりも０．１〜２ｍｍだけ大きな直径の円板形に形成されたものであるディスク保持用パッド。
【発明の詳細な説明】
【技術分野】
【０００１】
この発明は、音楽やデータを記録した光ディスクや１回記録型光ディスク、書き換え可能な光記録ディスク等の中央に保持孔が形成されたディスクを収納するディスクケースに関し、詳しくは、１枚収納用の大きさのケースに２枚以上のディスクを収納でき、ディスクの脱落を防止することのできるディスクケースに関するものである。
【０００２】
また、この発明は、ディスクケースとともに使用するためのディスク保持用パッドに関し、詳しくは、既存の１枚収納用ケースを容易に２枚収納用ケースとして使用することのできるディスク保持用パッドに関するものである。
【背景技術】
【０００３】
読み取り専用または書き込み可能な光ディスクの普及の拡大は目覚しく、音楽記録用、動画記録用、一般データ記録用として、これらの光ディスクの使用量は増加の一途をたどっている。これらの光ディスクは、中央に円形の保持孔が形成されており、この保持孔を利用して読取・書込装置の保持機構に保持される。また、光ディスクがケースに収納される場合は、ケースに設けられ光ディスクを保持するための複数の保持片が円周上に配置された保持凸部が、光ディスクの保持孔に嵌入され、光ディスクを保持収納する。
【０００４】
従来から普通に使用されているディスクケースは、ディスクを１枚だけ収納可能なものが多い。１枚収納型ディスクケースでも、通常厚さのケースと薄型ケースとがある。通常厚さのディスクケースは、ケースの厚さが１０ｍｍのものである。薄型ディスクケースは、ケースの厚さが５〜７ｍｍのものである。最近では省スペースのために薄型ディスクケースが増加してきている。しかし、通常厚さのディスクケースもかなり使用されている。
【０００５】
また、１つのケース内に２枚のディスクを収納可能な２枚収納型ディスクケースも使用されている。従来の２枚収納型ディスクケースとしては、下記の特許文献１，２に記載されたものが公知である。特許文献１には、３種類の爪部材からなる嵌合部を備え、光ディスクを２枚重ねて保持することのできるディスクケースが記載されている。特許文献２には、２枚のディスクを対面させて保持することのできるディスクケースが記載されている。
【特許文献１】特開２０００−０４３９６９号公報
【特許文献２】特開２００２−３４７８７０号公報
【発明の開示】
【発明が解決しようとする課題】
【０００６】
ケースの厚さが１０ｍｍの通常厚さのケースではスペース効率が悪く、ディスクの数が増加してくると、保管スペースが確保できなくなるという問題点がある。また、薄型ディスクケースの場合には、歌詞カード、説明書、解説書等の付属物の収納スペースが狭いという問題点がある。また、既に通常厚さのケースに収納されているディスクを薄型ディスクケースに入れ替えると、それまで使用していた通常厚さのケースが無駄になってしまうという問題点がある。
【０００７】
特許文献１、特許文献２に記載されたような、２枚収納型ディスクケースは、２枚のディスクを収納するための専用の構造が必要となり、ケースの製造コストが上昇してしまうという問題点がある。また、省スペースのために、既に通常厚さのケースに収納されているディスクを２枚収納型ディスクケースに入れ替えても、それまで使用していた通常厚さのケースが無駄になってしまうという問題点がある。
【０００８】
そこで、本発明は、従来から使用されていた通常厚さのケースを利用して、２枚以上のディスクを収納可能とした低コストのディスクケースを提供することを目的とする。また、本発明は、通常厚さのケースとともに使用して、既存の１枚収納用ケースを容易に２枚収納用ケースとして使用することのできるディスク保持用パッドを提供することを目的とする。
【課題を解決するための手段】
【０００９】
上記目的を達成するために、本発明のディスクケースは、中央に保持孔が形成されたディスクを収納して保持するためのディスクケースであって、前記ディスクの前記保持孔に嵌入され、前記ディスクを保持するための複数の保持片が円周上に配置された保持凸部と、前記保持凸部の先端部に固定され、前記ディスクが前記保持凸部から外れることを防止する保持パッドとを有し、前記保持パッドは、前記ディスクの前記保持孔の寸法よりも大きな寸法に形成された柔軟性部材からなるものである。
【００１０】
また、上記のディスクケースにおいて、前記保持パッドは、発泡体からなるものであることが好ましい。
【００１１】
また、上記のディスクケースにおいて、前記保持パッドは、前記保持孔の直径よりも０．１〜２ｍｍだけ大きな直径の円板形に形成されたものであることが好ましい。
【００１２】
また、本発明のディスク保持用パッドは、中央に保持孔が形成されたディスクを収納して保持するためのディスクケースとともに使用して前記ディスクを保持するディスク保持用パッドであって、前記ディスクケースに設けられ、前記ディスクの前記保持孔に嵌入されて前記ディスクを保持するための保持凸部の先端部に固定するための粘着層と、前記ディスクの前記保持孔の寸法よりも大きな寸法に形成され、柔軟性部材からなるパッド層とを有するものである。
【００１３】
また、上記のディスク保持用パッドにおいて、前記パッド層は、発泡体からなるものであることが好ましい。
【００１４】
また、上記のディスク保持用パッドにおいて、前記パッド層は、前記保持孔の直径よりも０．１〜２ｍｍだけ大きな直径の円板形に形成されたものであることが好ましい。
【発明の効果】
【００１５】
本発明は、以上のように構成されているので、以下のような効果を奏する。
【００１６】
２枚収納用ディスクケースを、従来から使用されている通常厚さのディスクケースの製造ラインを利用して製造できるので、製造コストを低減できる。また、通常厚さのディスクケースの在庫品に保持パッドを貼り付けて２枚収納可能なディスクケースに改造することができる。
【００１７】
一般のユーザーが自分の所持する通常厚さのディスクケースに保持パッドを貼り付けて２枚収納用ディスクケースとすることができる。従来から使用され大量に流通している通常厚さのディスクケースを利用して、２枚収納用ディスクケースとすることができるので、資源の無駄もなく低コストで２枚収納用ディスクケースを提供することが可能となる。そして、１枚収納用のディスクケースと同寸法で２枚のディスクを収納できるためディスクの保管スペースを大幅に減少させることができる。
【発明を実施するための最良の形態】
【００１８】
本発明の実施の形態について図面を参照して説明する。まず、図３から図５により通常厚さの１枚収納用のディスクケース１０の構成を説明する。通常厚さのディスクケース１０は、ケースの厚さが蓋部３を閉じた状態で約１０ｍｍである。ディスクケース１０は、ケース本体２と蓋部３とからなる。蓋部３は、ケース本体２の端部に回動可能に軸支されており、ケース本体２に対して開閉することができる。蓋部３は回動軸３ｃを中心として回動する。
【００１９】
ケース本体２には、各種の光ディスク等のディスクを収納するための収納凹部２１が形成されている。収納凹部２１の中央部には保持段部２２が形成され，保持段部２２の中央位置に保持凸部２３が設けられている。保持段部２２および保持凸部２３の構成は、図４および図５に詳しく示されている。図４は保持段部２２および保持凸部２３の構成を示す拡大図であり、図５は保持段部２２および保持凸部２３の構成を示す拡大断面図である。
【００２０】
保持凸部２３は、複数の保持片２４が円周上に配置されて、ディスクの保持孔に挿入可能とされたものである。図４では１２個の保持片２４が円周上に均等に配置されている。各保持片２４の間に形成された間隙２５により、各保持片２４は弾性変形可能とされ、保持片２４の保持直径ｄは縮小および拡張が可能となっている。ディスクの中央部に形成されている保持孔の直径をＨとすると、保持片２４の保持直径ｄは保持孔直径Ｈよりも０．１〜０．２ｍｍ程度大きくなるように設定されている。
【００２１】
図６は、ディスクケースに収納するためのディスク９の構成を示す図である。ディスク９は、読み取り専用または書き込み可能な光ディスク等のディスクであり、音楽記録用、動画記録用、一般データ記録用等として使用されるものである。ディスク９の外径（直径）は１２０ｍｍ，８０ｍｍ等の複数種類がある。ディスク９の中央には保持孔９１が形成されている。通常、保持孔９１の内径（直径）は１５ｍｍである。
【００２２】
ディスク９をディスクケース１０に収納するには、保持孔９１と保持凸部２３の位置を合わせ、ディスク９を下方に押圧して保持孔９１内に保持凸部２３を挿入する。そのとき保持片２４が弾性変形して保持直径ｄが縮小する。そして、保持片２４の弾性復帰力によってディスクが保持される。
【００２３】
ここで、ディスクケース１０の厚さは１０ｍｍであり、収納凹部２１の内部寸法としては、２枚のディスクを重ねて収納できる十分な容量を有している。しかし、保持凸部２３の突出量は１枚のディスクを保持するための寸法となっているため、２枚のディスクを収納した場合、上のディスクの保持が十分でなくケースの内部で動き回ってしまう。そして、記録面等に傷が付いたり破損してしまうおそれがある。
【００２４】
本発明は、このような通常厚さのディスクケースを利用し、それを改良して２枚のディスクを安全に収納することのできるディスクケースを実現したものである。図１は、本発明のディスクケース１の構成を示す断面図である。ディスクケース１のケース本体２および蓋部３の構成は、図３から図５に示したディスクケース１０の構成とほぼ同様であり、ディスクケース１０と共通の部分には共通の符号を付している。また、図１は蓋部３を閉じた状態のディスクケース１を示している。
【００２５】
本発明のディスクケース１では、保持凸部２３の先端（上端）側に保持パッド２６が固定されている。保持パッド２６は、保持凸部２３の突出量を延長して２枚のディスク９を収納および確実に保持するものである。保持パッド２６の下面には粘着剤が塗布されて粘着層が形成されており、この粘着層により保持パッド２６が保持凸部２３の先端部すなわち保持片２４の上端部に固定されている。保持パッド２６の厚さは１〜３ｍｍ程度とし、上側の２枚目のディスク９が確実に保持される厚さとする。
【００２６】
つまり、ディスクケース１の主たる構成部材は、従来から使用されていたディスクケース１０をそのまま利用することができ、保持凸部２３の先端側に保持パッド２６を貼着して固定すれば本発明のディスクケース１となる。保持パッド２６は、発泡体等の柔軟性材料からなる。発泡体としては、発泡ポリエチレン、発泡ポリウレタン、発泡スチロール等の材料が使用できる。１枚目のディスク９を収納する際には、保持パッド２６が柔軟性材料であり容易に変形するため、ディスク９は保持パッド２６の位置を通過して通常の保持位置に収納される。
【００２７】
２枚目のディスク９は、１枚目のディスク９の上に積み重ねて収納されるが、保持孔９１内に保持パッド２６が挿入され、保持パッド２６の弾性と摩擦力により確実に保持される。２枚目のディスク９が保持パッド２６によって保持されているため、ディスクケース１を携帯して持ち運ぶ際にも、ディスク９が平行移動したり回転したりすることがない。このためディスク９に傷や破損が生じることもない。
【００２８】
図２は、本発明の保持パッド２６の構成を示す図である。図２（ａ）は保持パッド２６を図１における上方から見た図である。保持パッド２６は、ディスク９の保持孔９１と相似形の円板状に形成されている。保持パッド２６の直径をＤとすれば、直径Ｄは保持孔直径Ｈよりも０．１〜２ｍｍ程度大きく形成されている。図２（ｂ）は保持パッド２６の厚さ方向の構成を示す断面図である。パッド層２６１は発泡体等の柔軟性材料からなり、パッド層２６１の下面に粘着剤が塗布されて粘着層２６２が形成されている。粘着層２６２の下面には容易に除去可能な離型紙２６３が貼付されている。
【００２９】
保持パッド２６をディスクケース１の保持凸部２３に貼付して固定する際には、保持パッド２６下面の離型紙２６３を除去して貼り付けるだけである。なお、工場等においてディスクケース１を製造する場合には、保持パッド２６に離型紙２６３を貼付しておく必要はなく、パッド層２６１と粘着層２６２とからなる保持パッド２６をそのまま保持凸部２３に貼付して固定すればよい。
【００３０】
このように、本発明のディスクケース１は、従来から使用されている通常厚さのディスクケース１０の製造ラインをそのまま使用し、最後に保持パッド２６を貼り付けるだけで製造可能であり、２枚収納可能なディスクケース１を低コストで製造できる。また、通常厚さのディスクケース１０の在庫がある場合には、それに保持パッド２６を貼り付けて２枚収納可能なディスクケース１に改造することができる。
【００３１】
さらに、保持パッド２６を単体として販売すれば、一般のユーザーが自分の所持する通常厚さのディスクケースに保持パッド２６を貼り付けて２枚収納用ディスクケースとすることができる。このように、従来から使用され大量に流通している通常厚さのディスクケースを利用して、２枚収納用ディスクケースとすることができるので、資源の無駄もなく低コストで２枚収納用ディスクケースを提供することが可能となる。そして、１枚収納用のディスクケースと同寸法で２枚のディスクを収納できるためディスクの保管スペースを大幅に減少させることができる。
【００３２】
また、繰り返しの使用によって保持パッド２６が摩耗したり破損した場合には、古い保持パッド２６を保持凸部２３から剥がして新しい保持パッド２６に容易に交換することができる。また、保持パッド２６が破損した場合に備えて、ディスクケース１に予備の複数の保持パッド２６を付属させることもできる。
【産業上の利用可能性】
【００３３】
本発明によれば、２枚収納用ディスクケースを低コストで提供できる。従来から使用されている通常厚さのディスクケースを利用できるため資源の無駄もない。そして、ディスクの保管スペースを大幅に減少させることができる。
【図面の簡単な説明】
【００３４】
【図１】本発明のディスクケース１の構成を示す断面図である。
【図２】本発明の保持パッド２６の構成を示す図である。
【図３】１枚収納用の通常厚さディスクケース１０の構成を示す図である。
【図４】保持段部２２および保持凸部２３の構成を示す拡大図である。
【図５】保持段部２２および保持凸部２３の構成を示す拡大断面図である。
【図６】ディスクケースに収納するためのディスク９の構成を示す図である。
【符号の説明】
【００３５】
１  ディスクケース
２  ケース本体
３  蓋部
３ｃ  回動軸
９  ディスク
９１  保持孔
１０  ディスクケース
２１  収納凹部
２２  保持段部
２３  保持凸部
２４  保持片
２５  間隙
２６  保持パッド
２６１  パッド層
２６２  粘着層
２６３  離型紙
【図１】
2005289384.tif 000003
【図２】
2005289384.tif 000004
【図３】
2005289384.tif 000005
【図４】
2005289384.tif 000006
【図５】
2005289384.tif 000007
【図６】
2005289384.tif 000008